(57)【要約】【課題】ユーザが、出力端子を備えた電子機器と入力端子を備えた電子機器との接続を容易に行うこと。【解決手段】テレビジョン受像機１０は、自身が備える信号入力端子２５ａ〜２５ｄとＨＤＤレコーダ２００が備える信号出力端子２２５ａ〜２２５ｃとが接続されていない状態で、ＨＤＤレコーダ２００の操作に利用されるリモコンＲＣｂが送信する信号に含まれる機器情報に基づいて、ＨＤＤレコーダ２００が備える信号出力端子と自身が備える信号入力端子との接続において、適合する端子接続を判定して提示する。【選択図】  図２
2010278930.tif 000002
【特許請求の範囲】
【請求項１】
リモコンから送信された信号出力機器に関連する機器関連情報を受信する受信手段と、
前記受信手段が受信した前記機器関連情報に基づいて、前記信号出力機器が備える全ての映像音声信号の出力端子と、自身が備える全ての映像音声信号の入力端子との接続において適合する接続形態を特定する端子接続特定手段と、
前記端子接続特定手段が特定した前記接続形態を提示する接続形態提示手段と、
を具備することを特徴とする情報提示装置。
【請求項２】
前記接続形態提示手段は、前記出力端子および前記入力端子それぞれの端子形状と、前記出力端子と前記入力端子とを接続するケーブル形状を含む接続形態を提示することを特徴とする請求項１記載の情報提示装置。
【請求項３】
前記機器関連情報は、前記信号出力機器を一意的に特定する情報であることを特徴とする請求項２記載の情報提示装置。
【請求項４】
前記機器関連情報は、前記信号出力機器が備える前記全ての映像音声信号の出力端子を特定する情報であることを特徴とする請求項２記載の情報提示装置。
【請求項５】
前記機器関連情報は、前記信号出力機器が備える全ての映像音声信号の出力端子と同じ種類の出力端子を備える複数の信号出力機器からなるグループを一意的に特定する情報であることを特徴とする請求項２記載の情報提示装置。
【請求項６】
前記接続形態提示手段は、現在提示している前記接続形態の次に適合する新たな接続形態を提示することを要求されたときに、前記新たな接続形態を提示することを特徴とする請求項２記載の情報提示装置。
【請求項７】
前記接続形態提示手段は、全ての前記適合する接続形態を一画面上に一括して提示することを特徴とする請求項２記載の情報提示装置。
【請求項８】
前記接続形態提示手段が提示した接続形態により特定される前記入力端子への映像音声信号の入力の有無を検出して、前記映像音声信号の入力が検出された場合には、前記入力端子からの映像音声信号の入力を選択する端子選択手段、
を具備することを特徴とする請求項２記載の情報提示装置。
【請求項９】
前記入力端子への接続の有無を検出する接続有無検出手段、
を具備し、
前記接続有無検出手段が、接続がされている端子があることを検出した場合には、前記端子接続特定手段は、前記接続がされている端子を除外して前記適合する接続形態を特定する、
または、
前記接続有無検出手段が、前記端子接続特定手段が特定した前記接続形態により特定される前記入力端子への接続がされていることを検出した場合には、前記接続形態提示手段は、前記接続がされている端子への接続を変更するメッセージを提示することを特徴とする請求項２記載の情報提示装置。
【請求項１０】
リモコンから送信された信号出力機器に関連する機器関連情報を受信し、
受信した前記機器関連情報に基づいて、前記信号出力機器が備える全ての映像音声信号の出力端子と、自身が備える全ての映像音声信号の入力端子との接続において適合する接続形態を特定し、
特定した前記接続形態を提示する、
ことを特徴とする情報提示方法。
【発明の詳細な説明】
【技術分野】
【０００１】
本発明は、外部装置との接続に関する情報を提示する情報提示装置および情報提示方法に関する。
【背景技術】
【０００２】
近年、ＨＤＤレコーダなどの録画機器や光ディスクプレーヤなどの再生機器のような外部機器から出力された映像信号や音声信号を入力する複数の信号入力端子を備え、これら入力された信号（情報）を出力する情報提示装置が広く普及している。
【０００３】
また近年、このような情報提示装置は、映像信号において、高解像な画像（例えば、地上デジタル放送のハイビジョン画像など）を表示することができるようになったために、信号出力／入力端子には、従来から利用されているコンポジット信号のためのピン端子だけでなく、コンポーネント信号や高解像度信号を伝送できるように、たとえばＨＤＭＩ端子やＩＥＥＥ１３９４端子など様々な形態の端子が適用されるようになってきた。
【０００４】
そこで、情報提示装置が備える様々な形態の入力端子と、外部装置が備える様々な形態の出力端子との接続を、ユーザが容易に行えることが期待されている。
例えば、特許文献１によれば、装置同士を接続する端子の形態や、信号出力のための設定内容などを提示して、ユーザによる装置同士の接続を容易にする手法が公開されている。
【先行技術文献】
【特許文献】
【０００５】
【特許文献１】特開２００８−１４７７２０号公報（図５  段落００８９）
【発明の概要】
【発明が解決しようとする課題】
【０００６】
しかし、特許文献１による手法では、外部接続する電子機器の種類を選択してから、さらに接続する端子の最適な形態をユーザ自身が選択する手法であったので、外部接続する電子機器が備える端子の形態や選択可能に提示される様々な端子の仕様などをユーザ自身が把握していない場合には、適切な端子を選択することができず、すわなち、ユーザが、出力端子を備えた電子機器と入力端子を備えた電子機器との接続を容易に行うことは困難であった。
【０００７】
そこで、本発明は上述した課題を解決するために、ユーザが、電子機器同士の接続を容易に行うことができる情報提示装置および情報提示方法を提供することを目的とする。
【課題を解決するための手段】
【０００８】
本発明は上述した課題を解決するため、リモコンから送信された信号出力機器に関連する機器関連情報を受信する受信手段と、前記受信手段が受信した前記機器関連情報に基づいて、前記信号出力機器が備える全ての映像音声信号の出力端子と、自身が備える全ての映像音声信号の入力端子との接続において適合する接続形態を特定する端子接続特定手段と、前記端子接続特定手段が特定した前記接続形態を提示する接続形態提示手段と、を具備することを特徴とするものである。
【０００９】
また本発明は上述した課題を解決するため、リモコンから送信された信号出力機器に関連する機器関連情報を受信し、受信した前記機器関連情報に基づいて、前記信号出力機器が備える全ての映像音声信号の出力端子と、自身が備える全ての映像音声信号の入力端子との接続において適合する接続形態を特定し、特定した前記接続形態を提示する、ことを特徴とするものである。
【発明の効果】
【００１０】
本発明によれば、電子機器同士の接続を容易に行うことができる。
【図面の簡単な説明】
【００１１】
【図１】本発明の第１の実施形態に係る情報提示装置であるテレビジョン受像機の構成を示すブロック図。
【図２】テレビジョン受像機１０とＨＤＤレコーダ２００との端子接続判定処理を説明するためのシステム構成を示す図。
【図３】第１の実施形態による、リモコンから受信した情報に基づいて、適合する端子接続を判定して提示する端子接続判定処理の一実施形態を説明するためのブロック図。
【図４】第１の実施形態における端子接続判定処理の動作を説明するためのフローチャート。
【図５】端子接続提示画面の一実施形態を示す図。
【図６】第２の実施形態による、リモコンから受信した情報に基づいて、適合する端子接続を判定して提示する端子接続判定処理の一実施形態を説明するためのブロック図。
【図７】第２の実施形態における端子接続判定処理の動作を説明するためのフローチャート。
【発明を実施するための形態】
【００１２】
（第１の実施形態）
以下、本発明における第１の実施形態について図面を用いて説明する。
図１は、本発明の第１の実施形態に係る情報提示装置であるテレビジョン受像機の構成を示すブロック図である。なお、本第１の実施形態では情報提示装置をテレビジョン受像機に適用した例を示すが、本第１の実施形態と同様の構成を備えたＨＤＤレコーダ、ＤＶＤレコーダ、情報処理端末、携帯移動端末などであってもよい。またさらには、ラジオ放送やインターネット等を用いた有線放送などを受信する放送受信装置である、例えばセットトップボックスなどであってもよい。
【００１３】
テレビジョン受像機１０は、放送波処理部２０、外部信号入力部２１、信号入力端子２５ａ〜２５ｄ、操作部３１、受光部３２、信号処理制御部４０、ネットワークＩＦ部５１、表示器６１、スピーカ６２、フラッシュメモリ７１などで構成されている。
【００１４】
放送波処理部２０は、アンテナＡＴによって受信されたデジタル放送波やアナログ放送波の信号を取得して、この取得した信号に対して特定チャンネルの選局および復調復号処理を施し、映像音声データやＥＰＧを作成するためのデータ、データ放送のためのデータなどを信号処理制御部４０に出力する。本第１の実施形態では、放送波処理部２０は、信号出力機器の型式番号などを示す機器情報と、当該信号出力機器が備える全ての信号出力端子の種類などを示す出力端子情報とを関連付けたデータを取得して、この取得したデータを信号処理制御部４０へ出力する。
【００１５】
外部信号入力部２１は、外部に接続される信号出力機器が出力し、信号入力端子２５ａ〜２５ｄの中の特定の端子を介して入力される映像音声データ（信号）に対して、所定の処理を施して信号処理制御部４０へ出力する。また、外部信号入力部２１は、外部に接続される信号出力機器との接続に適合すると判定された信号入力端子を選択し、この選択した端子から入力される映像音声データ（信号）を信号処理制御部４０へ出力する。
【００１６】
信号入力端子２５ａ〜２５ｄは、映像音声データ（信号）を出力するＨＤＤレコーダなどの信号出力機器が備える出力端子と接続ケーブルを介して接続することにより、当該出力端子からの信号を入力する入力端子であり、映像信号入力端子としてはＹ／Ｃ混合コンポジット信号を扱うピン端子や、Ｙ／Ｃ分離コンポジット信号を扱うＳ端子、コンポーネント信号を扱うＤ端子、ＨＤＭＩ規格に基づいたＨＤＭＩ端子などの同一または異なる種類の端子が複数（本第1の実施形態では４つ）設けられている。
【００１７】
ネットワークＩＦ部５１は、インターネットやＬＡＮ、ＷＡＮなどによりネットワークに接続し、この接続したネットワークを介して提供される番組などの映像音声データやＥＰＧを作成するためのデータ、データ放送のためのデータなどを取得して信号処理制御部４０へ出力する。またネットワークＩＦ部５１は、ＬＡＮなどにより外部ＨＤＤやメモリーカードなどの記録媒体に接続して、番組などの映像音声データをやりとりする。このネットワークＩＦ部５１は、接続したネットワークを介して提供される、機器情報と出力端子情報とを関連付けたデータを取得して、信号制御処理部４０へ出力する。
【００１８】
操作部３１は、装置を操作する操作ボタンを備えていて、この操作ボタンの押下に対応する操作入力の情報を信号処理制御部４０へ出力する。また、受光部３２は、装置を操作する操作入力の情報を送信するリモコンＲＣａや、外部機器を操作する操作入力の情報や機器情報が含まれ、リモコンＲＣｂが送信する信号を受光（受信）して、所定の処理を施して信号処理制御部４０へ出力する。すなわち、リモコンＲＣｂが送信する信号には、操作入力の情報だけでなく当該リモコンＲＣｂによって操作される外部機器の機器情報が含まれるものである。
【００１９】
信号処理制御部４０は、放送波処理部２０や外部信号入力部２１、ネットワークＩＦ部５１などから入力された信号に対して、ＭＰＥＧ符号化／復号化演算処理や、映像信号と音声信号の分離処理、入力信号からのデータ抽出処理、または圧縮された信号の解凍処理などを施して表示器６１へ映像信号を出力し、スピーカ６２へ音声信号を出力する。
【００２０】
また、本第１の実施形態では、信号処理制御部４０は、受光部３２から入力された信号から機器情報を抽出し、抽出した機器情報に基づいて、この機器情報に関連付けられた信号出力端子との接続に適合する信号入力端子を判定する。そして判定された結果に基づいて、接続に適合する端子接続に関する情報を提示するＯＳＤを生成する処理などを行う。
【００２１】
なお、信号処理制御部４０はＣＰＵ（不図示）を備えていて、自身に備えられたソフトウェア演算処理のためのワークメモリなどの各モジュールや、自身に接続されたフラッシュメモリなどの各モジュールを利用して複数の処理の実行を制御する。
【００２２】
表示器６１は、信号処理制御部４０から入力された映像信号により動画像またはＯＳＤを表示する表示モジュールであって、例えばＬＣＤ（Liquid  Crystal  Display）などの薄型ディスプレイであり、信号処理制御部４０で生成された接続可能な端子の組み合わせに関する情報を提示するＯＳＤを表示する。
【００２３】
スピーカ６２は、信号処理制御部４０から入力された音声信号を出力する。
フラッシュメモリ７１は、テレビジョン受像機１０が備える全ての信号入力端子の種類などを示す入力端子情報や、複数の信号出力機器が備える全ての信号出力端子の種類などを示す出力端子情報などを記憶する不揮発性メモリである。また、フラッシュメモリ７１は、信号処理制御部４０が備えるＣＰＵ（不図示）によって実行されるプログラムを記憶する。本第１の実施形態では、フラッシュメモリ７１は、信号入力端子２５ａ〜２５ｄに関する入力端子情報を記憶し、さらに、放送波処理部２０やネットワークＩＦ部５１から取得され、機器情報と関連付けられた出力端子情報を記憶する。なお、フラッシュメモリ７１は、信号処理制御部４０の内部に備えられる実施形態であってもよい。
【００２４】
このように第１の実施形態に係るテレビジョン受像機１０は、以上の構成により、リモコンが送信する機器情報に基づいて、当該機器情報と関連付けられた出力端子情報を取得し、この取得した出力端子情報と自身が備える信号入力端子に関する入力端子情報とを比較することで適合する端子接続を判定し、表示器に提示する。なお、これらの処理は主に、信号処理制御部４０によって実行されるものである。
【００２５】
次に、図２を用いて、テレビジョン受像機１０と信号出力機器であるＨＤＤレコーダ２００との端子接続を判定する処理を説明する。
図２は、テレビジョン受像機１０とＨＤＤレコーダ２００との端子接続判定処理を説明するためのシステム構成を示す図である。
テレビジョン受像機１０は、信号入力端子２５ａ〜２５ｄを備え、さらにリモコンＲＣａからの操作入力の情報を受信して、受信した情報に応じて動作する。
ＨＤＤレコーダ２００は、信号出力端子２２５ａ〜２２５ｃを備え、さらにリモコンＲＣｂからの操作入力の情報を受信して、受信した情報に応じて動作する。
また、テレビジョン受像機１０は、リモコンＲＣｂから送信されたＨＤＤレコーダ２００の型式番号などを示す機器情報が含まれる信号を受信して、受信した信号に含まれる機器情報に基づいて、フラッシュメモリ７１に格納された出力端子情報を参照し、ＨＤＤレコーダ２００が備える信号出力端子２２５ａ〜２２５ｃの出力端子情報を特定する。さらに、テレビジョン受像機１０は、特定した信号出力端子２２５ａ〜２２５ｃに関する情報と自身が備える信号入力端子２５ａ〜２５ｄに関する入力端子情報とに基づいて、これらの信号出力端子と信号入力端子との接続において適合する端子接続を判定する。
【００２６】
すなわち、テレビジョン受像機１０は、自身が備える信号入力端子にＨＤＤレコーダ２００が接続されていない状態で、ＨＤＤレコーダ２００の操作に利用されるリモコンＲＣｂが送信する信号に含まれる機器情報によって、ＨＤＤレコーダ２００が備える信号出力端子と適合する端子接続を判定することが可能となる。
【００２７】
次に、図３を用いて、端子接続判定処理を実行する各モジュールによるシステム構成を説明する。
図３は、図１で説明した信号処理制御部およびフラッシュメモリに備えられ、端子接続判定処理を実行するための複数のモジュールを詳細に説明するためのブロック図である。
【００２８】
信号処理制御部４０は、端子接続判定部３０１、ＲＡＭ３０２、ＯＳＤ生成部３０３などで構成される。また、フラッシュメモリ７１は、入力端子情報格納部３１１、出力端子情報格納部３１２などを備えている。
【００２９】
つまり端子接続判定処理は、端子接続判定部３０１が、受光部３２から入力された情報に基づいて、ＲＡＭ３０２や、入力端子情報格納部３１１、出力端子情報格納部３１２などと情報をやりとりしながら、外部機器との接続に適合する端子接続を判定して、ＯＳＤ生成部３０３や表示器６１により端子接続に関する情報を提示する画面を出力する処理である。
【００３０】
入力端子情報格納部３１１は、テレビジョン受像機１０が備える全ての信号入力端子に関する入力端子情報を格納する。なお、入力端子情報は、端子の形状や端子を接続する接続ケーブルの形状などの形状情報を含んでいて、また、テレビジョン受像機１０自身のハードウェアに関する情報であるので、製造時に記憶されて以降は更新されない。
【００３１】
出力端子情報格納部３１２は、複数の信号出力機器が備える全ての信号出力端子の種類などを示す出力端子情報を格納する。また、出力端子情報は機器情報と関連付けられて格納されている。すなわち、出力端子情報格納部３１２は、複数の機器情報ごとに、当該複数の情報機器それぞれに関連付けられた出力端子情報を格納する、出力端子情報データベースである。なお、出力端子情報は、更新可能な実施形態や、ユーザによって機器情報毎に信号出力端子の追加や削除などの編集が可能な実施形態であってもよい。
【００３２】
ＲＡＭ３０２は、端子接続判定部３０１が実行する端子接続判定処理における一時記憶のためのワークメモリであり、本第１の実施形態では出力端子情報を一時的に記憶する。なおＲＡＭ３０２は、信号処理制御部４０の内部に備えられる実施形態でなく、信号処理制御部４０の外部に備えられる実施形態であってもよい。
【００３３】
端子接続判定部３０１は、受光部３２から入力された信号からＨＤＤレコーダ２００の型式番号などを示す機器情報を抽出し、ワークメモリとしてＲＡＭ３０２を利用しながら、入力端子情報格納部３１１に格納された入力端子情報や、出力端子情報格納部３１２に格納された出力端子情報などを参照して、ＨＤＤレコーダ２００との接続に適合する端子を判定する。そして、この判定された端子接続に関する情報をＯＳＤ生成部３０３へ出力して、この出力した情報に基づく画面の生成をＯＳＤ生成部３０３に要求する。
【００３４】
また、出力端子情報格納部３１２が格納する出力端子情報を更新する場合は、端子接続判定部３０１は、放送波処理部２０やネットワークＩＦ部５１などを介して取得した新たな出力端子情報を、出力端子情報格納部３１２に格納する。
【００３５】
ＯＳＤ生成部３０３は、端子接続判定部３０１から入力された情報に基づいて、端子接続に関する情報を提示する端子接続提示画面を生成して表示器６１へ出力する。
【００３６】
すなわち、端子接続判定処理は、以上説明した各モジュールによるシステム構成によって実行される。
次に、図４を用いて、図１および図３により説明したシステム構成に基づく端子接続判定処理の動作を説明する。
図４は、本第１の実施形態における端子接続判定処理の動作を説明するためのフローチャートである。
まず、リモコンＲＣｂから送信された信号を受光部３２が受信して端子接続判定部３０１に出力すると、端子接続判定部３０１は、受光部３２から入力された信号から機器情報を抽出する（Ｓ４０１）。この抽出される機器情報は、受光部３２が受信した信号を送信したリモコンＲＣｂによって操作される信号出力機器の型式番号などを示す機器情報である。
【００３７】
次に、端子接続判定部３０１は、機器情報と出力端子情報とが関連付けられて格納されている出力端子情報格納部３１２から、抽出された機器情報に関連付けられた出力端子情報を検索する（Ｓ４０２）。
【００３８】
そして、機器情報または出力端子情報を検索することができずに出力端子情報を取得できない場合は（Ｓ４０３のＮ）、端子接続判定部３０１が、情報を取得できなかった旨のメッセージを提示するＯＳＤの生成をＯＳＤ生成部３０３に要求して、ＯＳＤ生成部３０３は、要求されたＯＳＤの情報を表示器６１へ出力し、表示器６１がこのＯＳＤを提示する（Ｓ４０７）。
【００３９】
一方、出力端子情報を検索することができて出力端子情報を取得できた場合は（Ｓ４０３のＹ）、端子接続判定部３０１は、取得した出力端子情報をＲＡＭ３０２へ記憶し、この記憶した出力端子情報と、入力端子情報格納部３１１に格納されている信号入力端子２５ａ〜２５ｄに関する入力端子情報とを比較して、適合する端子接続を判定する（Ｓ４０４）。
【００４０】
なお端子接続の判定は、伝送できる信号の解像度制限値、信号伝送方式による信号品位の安定性などを考慮して実行される。
判定の結果、出力端子情報の中の特定の端子の情報と個々の入力端子情報とで適合する端子接続がない場合は（Ｓ４０５のＮ）、端子接続判定部３０１が、適合する端子接続がない旨のメッセージを提示するＯＳＤの生成をＯＳＤ生成部３０３に要求して、ＯＳＤ生成部３０３は、要求されたＯＳＤの情報を表示器６１へ出力し、表示器６１がこのＯＳＤを提示する（Ｓ４０８）。
【００４１】
一方、適合する端子接続がある場合は（Ｓ４０５のＹ）、端子接続判定部３０１は、判定した端子同士の端子接続に関する情報をＯＳＤ生成部３０３へ出力し、さらに、端子接続に関する情報を提示する端子接続提示画面の生成を要求する。そして、ＯＳＤ生成部３０３は、入力された情報に基づいて、端子接続に関する情報を提示する端子接続提示画面を生成して表示器６１へ出力する（Ｓ４０６）。
【００４２】
次に、図５を用いて、ＯＳＤ生成部で生成され、表示器６１に出力された端子接続提示画面の一例について説明する。
図５では、図２に示すシステム構成において、テレビジョン受像機１０が、映像の信号入力端子２５ａ〜２５ｄとして、ピン端子、Ｓ端子、Ｄ端子、ＨＤＭＩ端子の４つの信号入力端子を備えていて、信号出力機器であるＨＤＤレコーダ２００が、映像の信号出力端子２２５ａ〜２２５ｃとして、ピン端子、Ｓ端子、ＨＤＭＩ端子の３つの信号出力端子を備えている場合を例にする。
【００４３】
またこの例では、端子接続判定部３０１は、テレビジョン受像機１０およびＨＤＤレコーダ２００それぞれが備える複数の端子の中で、ピン端子、Ｓ端子、ＨＤＭＩ端子が共通し、この共通する端子の中で信号伝送に適している端子接続として、ＨＤＭＩ端子同士の端子接続が適合すると判定する。さらに、端子接続判定部３０１は、ＨＤＭＩ端子同士の端子接続に関する情報を提示する画面の生成をＯＳＤ生成部３０３に対して要求して、ＯＳＤ生成部３０３が端子接続提示画面５００を生成する。
【００４４】
そして、端子接続判定処理によって、テレビジョン受像機とＨＤＤレコーダとの接続に適した端子接続として、ＨＤＭＩ端子同士の端子接続に関する情報が提示される。
【００４５】
具体的に、端子接続提示画面５００には、信号入力端子側であるテレビジョン受像機が備えるＨＤＭＩ端子の形状や、信号出力端子側であるＨＤＤレコーダが備えるＨＤＭＩ端子の形状、これらのＨＤＭＩ端子を接続するＨＤＭＩケーブルの形状、などのグラフィック画像が提示される。さらに、ＨＤＤレコーダの型式番号などの機器情報が提示される。
【００４６】
また、端子接続提示画面５００の枠外に、テレビジョン受像機１０を制御するリモコンＲＣａなどに備えられた左右方向キー（不図示）による、次候補の端子接続または前候補の端子接続を提示する画面に切り替える操作のガイドを提示する領域が設けられる。
【００４７】
次候補の端子接続とは、テレビジョン受像機１０およびＨＤＤレコーダ２００それぞれが備える端子の中から適合すると判定された端子であって、このとき提示されている端子接続の次に高品位な信号伝送が可能な端子同士の接続である。
【００４８】
具体的には、ＨＤＭＩ端子同士の端子接続が提示されている状態で、操作部３１またはリモコンＲＣに備えられた右方向キー（不図示）の押下によって、次候補の端子接続を提示する画面の切り替えが選択されると、次候補であるＳ端子同士の端子接続に関する情報が提示される。そして、もう一度、次候補の端子接続を提示する画面の切り替えが選択されると、ピン端子同士の端子接続に関する情報が提示される。これらの端子接続に関する情報は、ループ状に順次、提示されてもよい。
【００４９】
また、端子接続提示画面５００に、同一画面上に全ての端子接続の候補が提示される実施形態であってもよい。具体的には、端子接続提示画面５００に、ＨＤＭＩ端子同士の端子接続、Ｓ端子同士の端子接続、ピン端子同士の端子接続、の３つの端子接続の形状などのグラフィック画像による端子接続に関する情報が同一画面上に提示される画面が出力される。
【００５０】
さらに、適合する端子接続として、端子接続提示画面５００に、ＨＤＭＩ端子同士の端子接続が提示された状態で、ＨＤＤレコーダ２００からＨＤＭＩ端子を介して映像信号が入力された場合、信号処理制御部４０は、ユーザ操作に因らず自動的に、ＨＤＭＩ端子を介して入力される映像信号を表示器６１に表示するように制御する実施形態であってもよい。
【００５１】
またさらに、外部信号入力部２１が、信号入力端子２５ａ〜２５ｄとＨＤＤレコーダ２００とは異なる外部の信号出力機器が備える信号出力端子とが接続されている状態か否かを検出して、端子接続判定部３０１は、端子接続状態の検出結果に基づいて、端子接続のされていない信号入力端子を優先して、外部機器との端子接続に適合する信号入力端子を判定する実施形態であってもよい。もしくは、端子接続判定部３０１は、端子接続状態の検出の結果、外部機器との端子接続に適合する信号入力端子が接続されている状態であった場合には、適合する信号入力端子の接続先を変更する旨のメッセージが含まれ、外部機器との接続に適合する端子接続に関する情報を提示する画面の生成を、端子接続判定部３０１がＯＳＤ生成部３０３へ要求する実施形態であってもよい。
【００５２】
以上説明したように、本第１の実施形態に係るテレビジョン受像機は、信号出力機器の操作に利用されるリモコンが送信する機器情報が含まれる信号を受信し、この受信した機器情報に基づいて、信号出力機器が備える信号出力端子の中から、自身が備える信号入力端子に適した端子を判定して、この判定した端子同士の端子接続に関する情報を提示するので、ユーザが、出力端子を備えた電子機器と入力端子を備えた電子機器との接続を容易に行うことが可能となる。
【００５３】
（変形例）
これまでは、図２において、信号出力機器であるＨＤＤレコーダ２００の操作に利用されるリモコンＲＣｂが送信する信号には、ＨＤＤレコーダ２００の型式番号などを示す機器情報が含まれる実施形態を説明したが、以下の変形例では、リモコンＲＣｂが送信する信号に、ＨＤＤレコーダ２００自身の型式番号を示す機器情報ではなく、ＨＤＤレコーダ２００が属するシリーズ番号などを示すシリーズ情報が含まれる実施形態を説明する。
【００５４】
すなわち、本変形例は、異なる型式番号の複数の信号出力機器それぞれが、同じ種類の信号出力端子を備えている場合、これら複数の信号出力機器全てを一つのシリーズ番号でグルーピングして、このシリーズ番号を一意的に識別できる識別子などによってシリーズ情報として定義する例である。具体的には、ＨＤＤレコーダ２００において、自身が備える記録媒体であるＨＤＤの容量の違いによって、異なる型式番号が付されるが、ＨＤＤの容量の違いはあるものの、それぞれの型式番号の機器は、同一種類の信号出力端子を備えている場合などに適用される。
【００５５】
そして、本変形例では、図１〜４を用いて説明した第１の実施形態における、いくつかのブロックの処理や動作が異なるが、本変形例に係る構成によって得られる効果は、第１の実施形態による効果と同じである。
【００５６】
すなわち、リモコンＲＣｂは、シリーズ情報が含まれる信号を送信し、受光部３２はシリーズ情報が含まれる信号を受信する。また、出力端子情報格納部３１２は、シリーズ情報と関連付けられた出力端子情報を格納する。そして、端子接続判定部３０１は、受光部３２から入力された信号からシリーズ情報を抽出し、この抽出したシリーズ情報に基づいて、出力端子情報格納部３１２が格納する出力端子情報を取得する。
【００５７】
従って、本変形例においても、第1の実施形態と同様の効果を奏することができる。
（第２の実施形態）
次に、本発明における第２の実施形態について図面を用いて説明する。
本第２の実施形態は、図２において、信号出力機器であるＨＤＤレコーダ２００の操作に利用されるリモコンＲＣｂが送信する信号に、機器情報またはシリーズ情報でなく、ＨＤＤレコーダ２００が備える全ての信号出力端子の種類などを示す出力端子情報が含まれる実施形態である。
【００５８】
すなわち、テレビジョン受像機１０は、リモコンＲＣｂが送信した出力端子情報が含まれる信号を受信して、この受信した信号から信号出力端子２２５ａ〜２２５ｃに関する出力端子情報を抽出する。さらに、テレビジョン受像機１０は、抽出した信号出力端子２２５ａ〜２２５ｃに関する出力端子情報と自身が備える信号入力端子２５ａ〜２５ｄに関する入力端子情報とに基づいて適合する端子接続を判定する。
【００５９】
次に、図６を用いて、端子接続判定処理を実行する各モジュールによるシステム構成を説明する。
図６は、本第２の実施形態による、図１で説明した信号処理制御部およびフラッシュメモリに備えられ、端子接続判定処理を実行するための複数のモジュールを詳細に説明するためのブロック図である。
【００６０】
本第２の実施形態は、信号処理制御部４０において、前述の第１の実施形態の端子接続判定部３０１が実行する処理とは異なる処理を実行する端子接続判定部６０１に変更されている点、また、フラッシュメモリ７１において、前述の第１の実施形態の出力端子情報格納部３１２を備えていない点で、第１の実施形態と異なる。従って、図３に示したブロック図と同一符号を付された複数のブロックに関しては、図３の説明と同等の処理を行うものであるので説明を省略し、以降では、第１の実施形態と異なる点に関して主に説明する。
【００６１】
端子接続判定部６０１は、受光部３２から入力された信号から、ＨＤＤレコーダ２００が備える全ての信号出力端子の種類などを示す機器情報を抽出し、ワークメモリとしてＲＡＭ３０２を利用しながら、入力端子情報格納部３１１に格納された入力端子情報を参照して、ＨＤＤレコーダ２００との接続に適合する端子を判定する。そして、この判定された端子接続に関する情報をＯＳＤ生成部３０３へ出力して、この出力した情報に基づく画面の生成をＯＳＤ生成部３０３に要求する。
【００６２】
すなわち、本第２の実施形態における端子接続判定処理は、端子接続判定部６０１が、受光部３２から入力された情報に基づいて、ＲＡＭ３０２や、入力端子情報格納部３１１などと情報をやりとりしながら、外部機器との接続に適合する端子接続を判定して、ＯＳＤ生成部３０３や表示器６１により端子接続に関する情報を提示する画面を出力する処理である。
【００６３】
次に、図７を用いて、図１および図６により説明したシステム構成に基づく端子接続判定処理の動作を説明する。
図７は、本第２の実施形態における端子接続判定処理の動作を説明するためのフローチャートである。
本第２の実施形態は、前述の第１の実施形態の端子接続判定部３０１が機器情報を抽出するのに対して、端子接続判定部６０１は、出力端子情報を抽出する点で異なる。
【００６４】
まず、リモコンＲＣｂから送信された信号を受光部３２が受信して端子接続判定部６０１に出力すると、端子接続判定部６０１は、受光部３２から入力された信号から出力端子情報を抽出する（Ｓ７０１）。この抽出される出力端子情報は、受光部３２が受信した信号を送信したリモコンＲＣｂによって操作される信号出力機器が備える信号出力端子の種類などを示す出力端子情報である。
【００６５】
次に、端子接続判定部６０１は、取得した出力端子情報をＲＡＭ３０２へ記憶し、この記憶した出力端子情報と、入力端子情報格納部３１１に格納されている入力端子情報とを比較して適合する端子接続を判定するし（Ｓ４０４）。判定の結果、出力端子情報の中の特定の端子の情報と個々の入力端子情報とで適合する端子がない場合は（Ｓ４０５のＮ）、適合する端子接続がない旨のメッセージを提示するＯＳＤを、ＯＳＤ生成部３０３が生成して表示器６０１に出力する（Ｓ４０８）。
【００６６】
一方、適合する端子がある場合は（Ｓ４０５のＹ）、端子接続判定部６０１は、適合する端子に関する情報をＯＳＤ生成部３０３へ出力し、さらに、端子接続に関する情報を提示する端子接続提示画面の生成を要求する。そして、ＯＳＤ生成部３０３は、入力された情報に基づいて、端子接続に関する情報を提示する端子接続提示画面を生成して表示器６１へ出力する（Ｓ４０６）。
【００６７】
そして、本第２の実施形態が提示する端子接続提示画面は、図５に示した端子接続提示画面５００と同等のものである。
以上説明したように、本第２の実施形態に係るテレビジョン受像機は、信号出力機器の操作に利用されるリモコンが送信し、出力端子情報が含まれる信号を受信し、この受信した信号出力端子の中から、自身が備える信号入力端子に適した端子を判定して、この判定した端子同士の接続に関する情報を提示するので、ユーザが、出力端子を備えた電子機器と入力端子を備えた電子機器との接続を容易に行うことが可能となる。
【００６８】
なお、前述の第１、第２の実施形態では、映像信号に対しての端子接続に関して説明したが、音声信号に対しての接続端子に関しても適用できることは言うまでもない。
【００６９】
また本発明は、上述した実施形態に限定されるものではなく、本発明の要旨を変えない範囲において、種々の変更、改変等が可能である。
【符号の説明】
【００７０】
１０…テレビジョン受像機、２０…放送波処理部、２１…外部信号入力部、２５ａ〜２５ｄ…信号入力端子、３１…操作部、３２…受光部、４０…信号処理制御部、５１…ネットワークＩＦ部、６１…表示器、６２…スピーカ、７１…フラッシュメモリ、ＲＣａ，ＲＣｂ…リモコン、２００…ＨＤＤレコーダ、２２５ａ〜２２５ｃ…信号出力端子、３０１，６０１…端子接続判定部、３０２…ＲＡＭ、３０３…ＯＳＤ生成部、３１１…入力端子情報格納部、３１２…出力端子情報格納部。
【図１】
2010278930.tif 000003
【図２】
2010278930.tif 000004
【図３】
2010278930.tif 000005
【図４】
2010278930.tif 000006
【図５】
2010278930.tif 000007
【図６】
2010278930.tif 000008
【図７】
2010278930.tif 000009
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
信号出力装置の映像音声信号の複数の出力端子に接続される映像音声信号の複数の入力端子と、
リモコンから送信された前記信号出力機器に関連する機器情報を受信する受信手段と、
受信した前記機器情報に基づいて、全ての前記複数の入力端子と、全ての前記複数の出力端子との接続において適合する端子接続を特定する特定手段と、
特定された適合する端子接続を提示する提示手段と、
を具備することを特徴とする情報提示装置。
【請求項２】
前記提示手段は、適合する端子接続の提示として、
対応する出力端子の形状と、
対応する入力端子の形状と、
前記出力端子と前記入力端子とを接続するケーブルの形状と、を提示することを特徴とする請求項１記載の情報提示装置。
【請求項３】
前記機器情報は、前記信号出力機器を一意的に特定する情報であることを特徴とする請求項２記載の情報提示装置。
【請求項４】
前記機器情報は、前記信号出力機器が備える前記全ての映像音声信号の出力端子を特定する情報であることを特徴とする請求項２記載の情報提示装置。
【請求項５】
前記機器情報は、全ての前記映像音声信号の出力端子と同じ種類の出力端子を備える複数の信号出力機器からなるグループを一意的に特定する情報であることを特徴とする請求項２記載の情報提示装置。
【請求項６】
前記提示手段は、適合する端子接続のうちの最も適合する端子接続を一つ提示し、要求に応じて、提示されている端子接続の次に適合する他の一つを提示することを特徴とする請求項２記載の情報提示装置。
【請求項７】
前記提示手段は、全ての前記適合する端子接続を一画像上に一括して提示することを特徴とする請求項２記載の情報提示装置。
【請求項８】
現在提示される端子接続に含まれる前記入力端子への映像音声信号の入力の有無を検出する端子選択手段、をさらに具備し、
現在提示される端子接続に含まれる前記入力端子に映像音声信号が入力された場合には、表示部に前記映像信号が表示される
ことを特徴とする請求項２記載の情報提示装置。
【請求項９】
前記複数の入力端子それぞれの端子の接続の有無を検出する接続状態検出手段、
を具備し、
端子に接続されている入力端子がある場合には、前記特定手段は、前記端子と接続されている入力端子を除外して前記適合する端子接続を特定する、
または、
端子に接続されている入力端子があり、当該入力端子が前記検出された端子接続に含まれる場合には、前記提示手段は、前記端子に接続されている入力端子への接続の変更を要求するメッセージを提示することを特徴とする請求項２記載の情報提示装置。
【請求項１０】
信号出力装置の映像音声信号の複数の出力端子に接続される映像音声信号の複数の入力端子を有する情報提示装置による情報提示方法であって、
リモコンから送信された前記信号出力機器に関連する機器情報を受信し、
受信した前記機器情報に基づいて、全ての前記複数の入力端子と、全ての前記複数の出力端子との接続において適合する端子接続を特定し、
特定した適合する端子接続を提示する、
ことを特徴とする情報提示方法。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
信号出力機器の映像音声信号の、形状または規格の異なる複数の出力端子の少なくとも何れか１つに接続される映像音声信号の複数の入力端子と、
前記信号出力機器を操作するためのリモコンから送信され、かつ前記信号出力機器を操作するための信号に含まれる、前記信号出力機器を一意的に特定する機器情報を受信する受信手段と、
前記機器情報と関連付けられ、前記信号出力機器の全ての前記複数の出力端子の種類を示す出力端子情報を格納する出力端子情報格納部と、
前記出力端子情報および受信した前記機器情報に基づいて、全ての前記複数の入力端子と、全ての前記複数の出力端子との接続において適合する端子接続を特定する特定手段と、
特定された適合する端子接続を提示する提示手段と、
を具備することを特徴とする情報提示装置。
【請求項２】
前記提示手段は、適合する端子接続の提示として、
対応する出力端子の形状と、
対応する入力端子の形状と、
前記出力端子と前記入力端子とを接続するケーブルの形状と、を提示することを特徴とする請求項１記載の情報提示装置。
【請求項３】
前記提示手段は、適合する端子接続のうちの最も高品位な信号伝送が可能な端子接続を一つ提示し、次に高品位な信号伝送が可能な端子接続の提示の要求に応じて、提示されている端子接続の次に高品位な信号伝送が可能な他の一つを提示することを特徴とする請求項２記載の情報提示装置。
【請求項４】
前記提示手段は、全ての前記適合する端子接続を一画像上に一括して提示することを特徴とする請求項２記載の情報提示装置。
【請求項５】
現在提示される端子接続に含まれる前記入力端子への映像音声信号の入力の有無を検出する端子選択手段、をさらに具備し、
現在提示される端子接続に含まれる前記入力端子に映像音声信号が入力された場合には、表示部に前記映像信号が表示される
ことを特徴とする請求項２記載の情報提示装置。
【請求項６】
前記複数の入力端子それぞれが前記複数の出力端子のいずれかと接続されている状態か否かを検出する接続状態検出手段、
を具備し、
前記複数の出力端子のいずれかと接続されている入力端子がある場合には、前記特定手段は、前記端子と接続されている入力端子を除外して前記適合する端子接続を特定する、
または、
前記複数の出力端子のいずれかと接続されている入力端子があり、当該入力端子が前記検出された端子接続に含まれる場合には、前記提示手段は、前記複数の出力端子のいずれかと接続されている入力端子への接続の変更を要求するメッセージを提示することを特徴とする請求項２記載の情報提示装置。
【請求項７】
信号出力機器の映像音声信号の、形状または規格の異なる複数の出力端子の少なくとも何れか１つに接続される映像音声信号の複数の入力端子と、
前記信号出力機器を操作するためのリモコンから送信され、かつ前記信号出力機器を操作するための信号に含まれる、前記信号出力機器の全ての前記複数の出力端子の種類を示す出力端子情報を受信する受信手段と、
受信した前記出力端子情報に基づいて、全ての前記複数の入力端子と、全ての前記複数の出力端子との接続において適合する端子接続を特定する特定手段と、
特定された適合する端子接続を提示する提示手段と、
を具備することを特徴とする情報提示装置。
【請求項８】
信号出力機器の映像音声信号の、形状または規格の異なる複数の出力端子の少なくとも何れか１つに接続される映像音声信号の複数の入力端子を有する情報提示装置による情報提示方法であって、
前記信号出力機器を操作するためのリモコンから送信され、かつ前記信号出力機器を操作するための信号に含まれる、前記信号出力機器を一意的に特定する機器情報を受信し、
前記出力端子情報および受信した前記機器情報に基づいて、全ての前記複数の入力端子と、全ての前記複数の出力端子との接続において適合する端子接続を特定し、
特定した適合する端子接続を提示する、
ことを特徴とする情報提示方法。
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
信号出力機器の映像音声信号の、形状または規格の異なる複数の出力端子の少なくとも何れか１つに接続される映像音声信号の複数の入力端子と、
前記信号出力機器を操作するためのリモコンから送信され、かつ前記信号出力機器を操作するための信号に含まれる、前記信号出力機器を一意的に特定する機器情報を受信する受信手段と、
前記機器情報と関連付けられ、前記信号出力機器の全ての前記複数の出力端子の種類を示す出力端子情報を格納する出力端子情報格納部と、
前記出力端子情報および受信した前記機器情報に基づいて、全ての前記複数の入力端子と、全ての前記複数の出力端子との接続において適合する端子接続を特定する特定手段と、
特定された適合する端子接続を提示する提示手段と、
を具備することを特徴とする情報提示装置。
【請求項２】
前記提示手段は、適合する端子接続の提示として、
対応する出力端子の形状と、
対応する入力端子の形状と、
前記出力端子と前記入力端子とを接続するケーブルの形状と、を提示することを特徴とする請求項１記載の情報提示装置。
【請求項３】
前記提示手段は、適合する端子接続のうちの最も高品位な信号伝送が可能な端子接続を一つ提示し、次に高品位な信号伝送が可能な端子接続の提示の要求に応じて、提示されている端子接続の次に高品位な信号伝送が可能な他の一つを提示することを特徴とする請求項２記載の情報提示装置。
【請求項４】
前記提示手段は、全ての前記適合する端子接続を一画像上に一括して提示することを特徴とする請求項２記載の情報提示装置。
【請求項５】
現在提示される端子接続に含まれる前記入力端子への映像音声信号の入力の有無を検出する端子選択手段、をさらに具備し、
現在提示される端子接続に含まれる前記入力端子に映像音声信号が入力された場合には、表示部に前記映像信号が表示される
ことを特徴とする請求項２記載の情報提示装置。
【請求項６】
前記複数の入力端子それぞれが前記複数の出力端子のいずれかと接続されている状態か否かを検出する接続状態検出手段、
を具備し、
前記複数の出力端子のいずれかと接続されている入力端子がある場合には、前記特定手段は、前記端子と接続されている入力端子を除外して前記適合する端子接続を特定する、
または、
前記複数の出力端子のいずれかと接続されている入力端子があり、当該入力端子が前記検出された端子接続に含まれる場合には、前記提示手段は、前記複数の出力端子のいずれかと接続されている入力端子への接続の変更を要求するメッセージを提示することを特徴とする請求項２記載の情報提示装置。
【請求項７】
信号出力機器の映像音声信号の、形状または規格の異なる複数の出力端子の少なくとも何れか１つに接続される映像音声信号の複数の入力端子と、
前記信号出力機器を操作するためのリモコンから送信され、かつ前記信号出力機器を操作するための信号に含まれる、前記信号出力機器の全ての前記複数の出力端子の種類を示す出力端子情報を受信する受信手段と、
受信した前記出力端子情報に基づいて、全ての前記複数の入力端子と、全ての前記複数の出力端子との接続において適合する端子接続を特定する特定手段と、
特定された適合する端子接続を提示する提示手段と、
を具備することを特徴とする情報提示装置。
【請求項８】
信号出力機器の映像音声信号の、形状または規格の異なる複数の出力端子の少なくとも何れか１つに接続される映像音声信号の複数の入力端子を有する情報提示装置による情報提示方法であって、
前記信号出力機器を操作するためのリモコンから送信され、かつ前記信号出力機器を操作するための信号に含まれる、前記信号出力機器を一意的に特定する機器情報を受信し、
前記機器情報と関連付けられ、前記信号出力機器の全ての前記複数の出力端子の種類を示す出力端子情報および受信した前記機器情報に基づいて、全ての前記複数の入力端子と、全ての前記複数の出力端子との接続において適合する端子接続を特定し、
特定した適合する端子接続を提示する、
ことを特徴とする情報提示方法。